(57)【要約】  回転子表面（２ａ）を備える回転子（２）と、固定子（４）と、回転シャッタ（３）と、回転子表面から延在するピストン（５）とを備え、回転子表面および固定子は環状チャンバを一緒に画定し、ピストンは環状チャンバを通って回転するように配置され、回転子表面は回転子の回転軸（Ａ−Ａ）に対して実質的に垂直な平面（Ｐ−Ｐ）に対して傾斜して向けられ、回転子表面は回転子の回転軸から概ね離れる方に面するか、またはそれから外方に面する、ロータリピストンおよびシリンダ装置。【選択図】図４
2019529769.tif 000002
【特許請求の範囲】
【請求項１】
回転子表面を備える回転子と、
固定子と、
回転シャッタと、
前記回転子表面から延在するピストンとを備え、
前記回転子表面および前記固定子は環状チャンバを一緒に画定し、前記ピストンは前記環状チャンバを通って回転するように配置され、
前記回転子表面は前記回転子の回転軸に対して実質的に垂直な平面に対して傾斜して向けられ、前記回転子表面は前記回転子の回転軸から概ね離れる方に面するか、またはそれから外方に面する、
ロータリピストンおよびシリンダ装置。
【請求項２】
前記回転子表面の前記向きが前記垂直平面から斜めにオフセットされる、請求項１に記載の装置。
【請求項３】
前記斜めのオフセットが実質的に３０〜６０度の範囲内である、請求項２に記載の装置。
【請求項４】
前記斜めのオフセットが実質的に４０〜５０度の範囲内である、請求項３に記載の装置。
【請求項５】
前記回転子表面が、前記垂直平面と、それに直交し前記回転軸を含む第２の面との角度的に中間の対向斜め配向を呈する、請求項１〜４のいずれか一項に記載の装置。
【請求項６】
前記回転子の少なくとも１つの軸方向端部から延在する回転シャフトを備える、請求項１〜５のいずれか一項に記載の装置。
【請求項７】
前記シャフトが、前記回転子のそれぞれの軸方向端部からそれぞれ延在する端部部分を備える、請求項６に記載の装置。
【請求項８】
前記回転子が、前記シャフトがそれを介して延在するかまたは受け入れられる貫通開口部を備える、請求項６または７に記載の装置。
【請求項９】
前記回転子表面に、前記環状チャンバと前記チャンバの外部の空間との間の流体の連通を可能にするポートが設けられる、請求項１〜８のいずれか一項に記載の装置。
【請求項１０】
前記ポートが、前記回転子の後面の開口部まで延在する開口部を備え、前記後面は前記回転軸の方向に軸方向に離間される、請求項９に記載の装置。
【請求項１１】
前記回転子表面が、軸方向断面で見たとき、概ねフレア状の輪郭である、請求項１〜１０のいずれか一項に記載の装置。
【請求項１２】
前記回転子表面が第１の回転子表面端部領域と第２の回転子表面端部領域との間に延在し、前記第１の回転子表面端部領域は前記回転子の回転軸に沿って前記第２の回転子表面端部領域に対して間隔をあけられ、前記回転子表面端部領域の一方は他方の端部領域よりも大きい半径方向範囲を有する、請求項１１に記載の装置。
【発明の詳細な説明】
【技術分野】
【０００１】
本発明は概してロータリピストンおよびシリンダ装置に関する。
【背景技術】
【０００２】
ロータリピストンおよびシリンダ装置は様々な形態をとることができ、内燃機関、または過給機もしくは流体ポンプなどの圧縮機、または蒸気機関もしくはタービン交換などの膨張機、または別の形態の容積式装置としてなど、多数の用途に使用することができる。
【０００３】
ロータリピストンおよびシリンダ装置は回転子および固定子を含むと考えることができ、固定子は少なくとも部分的に環状チャンバまたはシリンダ空間を画定し、回転子はリングの形態であり得るかまたは環状（断面が凹状）表面を含み、回転子は回転子から環状シリンダ空間内に延在する少なくとも１つのピストンを含み、使用時に少なくとも１つのピストンは、固定子に対する回転子の回転時に環状シリンダ空間を通って周方向に移動し、回転子は固定子に対してシールされ、装置はシリンダ空間シャッタをさらに備え、シリンダ空間シャッタは、シャッタが回転可能に取り付けられていることなどにより、シャッタが環状シリンダ空間を仕切る閉位置まで、およびシャッタが少なくとも１つのピストンの通過を許容する開位置まで、固定子に対して移動可能であり、シリンダ空間シャッタはシャッタディスクの形態であり得る。
【０００４】
我々はロータリピストンおよびシリンダ装置の新規構成を考案した。
【発明の概要】
【０００５】
本発明の第１の態様によれば、
回転子表面を備える回転子と、
固定子と、
回転シャッタと
回転子表面から延在するピストンとを備え、
回転子表面および固定子は環状チャンバを一緒に画定し、ピストンは環状チャンバを通って回転するように配置され、
回転子表面は回転子の回転軸に対して実質的に垂直な平面に対して傾斜して向けられてもよく、回転子表面は、例えば軸方向断面で見たとき、回転子の回転軸から概ね離れる方に、またはそれから外方に面してもよい、または方向付けられてもよい、
ロータリピストンおよびシリンダ装置が提供される。
【０００６】
回転子表面は、回転子の回転軸に対して実質的に垂直である平面に対して非対称であり得、この平面は回転子表面の中央領域を通って延在する。
【０００７】
「回転子表面」と呼ばれるものは、（固定子と共に）作動チャンバを画定する回転子の環状表面領域と呼ばれることがある。この表面領域の端部領域はその軸方向両端部に位置しており、概してそれぞれ円形の線を形成する。これらの線のそれぞれは実質的に平面上にあり、そして回転子表面の中央領域はこれらの平面の間の実質的に等距離のところに位置するか、または言い換えれば２つの軸方向端部の中間に位置する。
【０００８】
回転子表面の傾斜配向は、垂直平面から斜めにオフセットされていると見なすことができる。斜めオフセットは、３０度から６０度の範囲内、または４０から５０度の範囲内であり得る。
【０００９】
回転子表面は、垂直平面と、それに直交し回転軸を含む第２の面との角度的に中間の対向斜め配向を呈してもよい。
【００１０】
より一般的には、回転子表面は、回転軸に対して、または回転子の回転軸に対して傾斜して向けられてもよい。
【００１１】
配向角度は、軸方向断面で見たときに、回転子の端部／遠位部分を接続する線を基準にして定めることができる。
【００１２】
装置は回転シャフトを備えてもよく、回転子はそれに取り付けられてもよく、それと一体であってもよく、シャフトの周りに延在してもよい。
【００１３】
シャフトは、回転子の少なくとも一方の軸方向端部から延在することができる。シャフトは、それぞれが回転子のそれぞれの軸方向端部から離れる方向に延在する２つのシャフト部分を含むことができる。
【００１４】
シャフトは、回転子を通って延在するように配置された単一の構成要素を含み得る。回転子は、それを通して回転シャフトが配置され得る中央開口部を含み得る。シャフトは、チャンバの（少なくとも）一方の側から離れて延在すると考えられてもよい。
【００１５】
シャフトは装置への回転入力および／または装置からの回転出力を提供することができる。
【００１６】
回転軸受が、環状チャンバから軸方向に間隔を置いて設けられてもよい。少なくとも２つの回転軸受が、環状チャンバからおよび互いに軸方向に間隔を置いて設けられてもよい。回転軸受は、環状チャンバが軸受の中間にあるように配置されてもよい。軸受は、各側に軸受を有する回転子を通るシャフトがあるように配置されてもよく、あるいは片側にのみ軸受を有して配置されてもよく、または軸受がチャンバ下にあるかまたはチャンバ内の軸方向にある状態で配置されてもよい（そのような軸受は使用中にその外輪が回転するように配置されてもよい）。
【００１７】
回転子表面は、好ましくは軸方向断面で見たときに、概してフレア状の輪郭であってもよい。回転子表面（これは部分的に作動チャンバを画定する）は第１の回転子表面端部領域と第２の回転子表面端部領域との間に延在してもよく、第１の回転子表面端部領域は回転子の回転軸に沿って第２の回転子表面端部領域に対して間隔をあけられ、回転子表面端部領域の一方は他方の端部領域よりも大きい半径方向範囲を有する。端部領域のそれぞれは、回転軸に関して回転子表面の遠位領域または最端領域に配置されてもよい。
【００１８】
回転子表面は、連続的、滑らか、および湾曲状のうちの少なくとも１つであり得る。
【００１９】
回転子表面は、環状チャンバとチャンバの外部の空間との間の流体の連通を可能にする１つまたは複数のポートを備えることができる。
【００２０】
１つまたは複数のポートは、部分的に作動チャンバを画定する回転子表面の後面の開口部まで貫通する開口部を含むことができる。後面は回転子表面の反対側にあると考えてもよい。後面は、概して回転軸に沿った方向であり、回転子表面に対してチャンバから離れる方向である後方方向において、回転子表面から離間していてもよい。
【００２１】
作動チャンバと連通するポートが、回転子の後面の一部を通って出ることができ、回転子表面から軸方向に離間されることができる。
【００２２】
これは、回転子表面を通って環状チャンバに出入りする作動流体を供給するものと見なすことができる。
【００２３】
「ピストン」という用語は、本明細書において、その最も広範な意味で、文脈が認めれば、シリンダ壁に対して移動可能な仕切りを含むように用いられ、そのような仕切りは、一般に相対移動の方向にかなりの厚さを有するものである必要はなく、ブレードの形態とすることができる。ピストンはかなりの厚さのものとすることができるか、または中空とすることができる。ピストンはシリンダ空間内の仕切りを形成してもよい。ピストンは使用時に回転子の回転軸の周りを回転するように配置されてもよい。
【００２４】
「シール」という用語は、対向する表面間の密な間隔による意図的な流体の漏出経路の許容を含み、必ずしも流体密な構造を形成しない。この範囲内で、シールは、近接して延在する表面または近接して延在する線または近接して延在する領域によって達成され得る。シールは、そこを通る流体の伝達を最小化または制限する対向する表面間のシールギャップによって提供することができる。異なる表面に対応するシールギャップは、特定の組立ておよび動作上の要求により、それらのそれぞれの対向する部分に対して異なる隙間を有し得る。
【００２５】
理論上、シャッタは往復可能であることができるが、特に高速が必要とされる場合には、往復部材の使用を回避することが好ましく、シャッタは好ましくは１つまたは複数のシャッタディスクを備え、シャッタディスクは、環状シリンダ空間の周方向または円状に延在するボアと実質的に整列した状態に位置決めされるように配置され、シャッタの開状態において少なくとも１つのピストンがそこを通過することを許容する少なくとも１つの開口部を設けられる。
【００２６】
回転子および固定子は、作動チャンバを画定し得る。作動チャンバを部分的に画定する回転子の表面は、断面が凹状または湾曲していてもよい。作動チャンバは実質的に環状の形態であってもよい。
【００２７】
シャッタはシリンダ空間の実質的に半径方向に延在する仕切りを提供してもよい。
【００２８】
シャッタの少なくとも１つの開口部は、シャッタの実質的に半径方向に、およびシャッタに対して設けられてもよい。
【００２９】
好ましくは、回転子の回転軸は、シャッタの回転軸に対して非平行である。最も好ましくは、回転子の回転軸は、シャッタの回転軸に対して実質的に直交する。
【００３０】
好ましくは、ピストンは、開口部が環状シリンダ空間を通るときに、妨げられることなく、移動するシャッタの開口部を通過するような形状にされる。ピストンは、ピストンが開口部を通るときにシールが形成されるように、ピストンとシャッタの開口部との間に最小限の隙間があるような形状にされてもよい。シールは、ピストンの第１の側方部分の表面または辺縁領域に設けることができる。
【００３１】
好ましくは、固定子は少なくとも１つまたはそれ以上のポートを含む。入口流れ用の少なくとも１つのポート、および出口流れ用の少なくとも１つのポートがあってよい。
【００３２】
ポートの少なくとも１つは、シャッタに実質的に隣接し得る。
【００３３】
ポートの少なくとも１つは、回転子のポートと協働する弁付きポートを形成するように位置決めされてもよい。
【００３４】
好ましくは、シャッタディスクの角速度に対する回転子の角速度の比は１：１であるが、他の比が可能である。
【００３５】
シャッタは、シリンダ空間の（たった）１つの領域また位置において作動チャンバを通って延在するかまたは作動チャンバと交差するように配置することができる。
【００３６】
装置および装置のいずれかの特徴部は、個々にまたは組み合わせて、以下の記載中に記載されおよび／または図面中に示される１つまたは複数の構造的または機能的特性を備えてもよい。
【００３７】
ここで本発明の様々な実施形態を以下の図面を参照して単なる例として記載する。
【図面の簡単な説明】
【００３８】
【図１ａ】ロータリピストンおよびシリンダ装置の構成要素の斜視図である。
【図１ｂ】図１のロータリピストンおよびシリンダ装置の異なる向きからの斜視図である。
【図２ａ】先行の図のロータリピストンおよびシリンダ装置の分解図である。
【図２ｂ】図２ａから組み立てられた装置の斜視図である。
【図３ａ】図２ａのロータリピストンおよびシリンダ装置の異なる向きからの分解図である。
【図３ｂ】図３ａから組み立てられた装置の斜視図である。
【図４】図２および３のロータリピストンおよびシリンダ装置の軸方向断面図である。
【図５ａ】図４の装置の回転子の軸方向断面図である。
【図５ｂ】図４の装置の回転子の軸方向断面図である。
【図５ｃ】図４の装置の回転子の軸方向断面図である。
【図６】様々な代替実施形態を示す。
【図７Ａ】様々な代替実施形態を示す。
【図７Ｂ】様々な代替実施形態を示す。
【図８Ａ】様々な代替実施形態を示す。
【図８Ｂ】様々な代替実施形態を示す。
【図９】回転子の様々な実施形態の断面図である。
【図１０】回転子の様々な実施形態の断面図である。
【図１１】回転子の様々な実施形態の断面図である。
【図１２】回転子の様々な実施形態の断面図である。
【発明を実施するための形態】
【００３９】
図を参照すると、これらは回転子２、固定子４、およびシャッタディスク３を含むロータリピストンおよびシリンダ装置１を示している。固定子は、表現を容易にするためにいくつかの図には示されていないが、回転子に対して維持されるハウジングまたはケーシングなどの構造を備え、回転子の表面２ａに面する固定子の内側表面は、全体的に１００で示される環状空間または作動チャンバを一緒に画定する。固定子４は２つの部分を効果的に含み、固定子部分は一緒になってそれらの間の回転子およびシャッタを実質的に取り囲む。
【００４０】
回転子と一体であり表面２ａから延在するピストン５が設けられている。シャッタディスク３に設けられたスロットまたは開口部３ａは、ピストンが通過することを可能にするような大きさおよび形状である。シャッタディスク３の回転は、シャッタのタイミングが適切なトランスミッションによって回転子と同期したままであることを保証するように配置される。
【００４１】
トランスミッションアセンブリの噛み合う構成要素の１つが歯付きギア６によって示されている。シャッタディスク３はシャフト部分７ａおよび７ｂによって回転式に取り付けられる。
【００４２】
装置の使用時には、シャッタディスクの円周面３０が回転子の表面２ａと対向してそれらの間にシールを形成し、それによりシャッタディスクが環状シリンダ空間内で仕切りとして機能的に働くことを可能にする。
【００４３】
回転子の内側（すなわちチャンバに面し部分的にチャンバを画定する）表面２ａの形状は、回転シャッタディスクの円周面３０の一部によって規定される。
【００４４】
回転子および固定子は、作動流体用の１つまたは複数の入口ポートおよび１つまたは複数の出口ポートを有する環状シリンダ空間を提供するように構成される。ポートの１つは以下でより詳細に記載される。
【００４５】
特に図１Ａおよび１Ｂを参照すると、固定子またはハウジングを除いた、回転子およびシャッタの配置の異なる斜視図が示されている。両方の図から分かるように、シャフト９が設けられており、シャフト９は端部９ａおよび９ｂを含み、これらは回転子２を貫通して延在している。
【００４６】
この配置を達成するために、回転子２に中央貫通穴（図示せず）が設けられる。有利には、組み立て中に、任意の適切な方法によって回転子をシャフト９に組み付けることができる。これは、回転子の軸方向範囲が大きいために回転子２などの回転子に対して達成することができ、それはろう付けまたは締まりばめなどの手段を用いた正確な整列および確実な取り付けを可能にする。
【００４７】
組立プロセスにおいてシャフトが適切な位置にある状態で、回転子２は、シャフトに対する相対移動が動作中に防止されるように配置される。回転子２は、端部部分９ａおよび９ｂの中間に位置している。装置１がどのように使用されるかに応じて、その動作用途に関して、シャフトは回転入力または回転出力を提供するために使用されてもよい。
【００４８】
明らかなように、ピストン５は比較的広い寸法なので、ピストンが開口部を通過することを可能にするために、シャッタ３の開口部３ａはそれに応じて比例しなければならない。ピストンとシャッタディスクとの間の相対移動を考慮して、開口部３ａの境界が適切に構成／輪郭決めされなければならないことは認識されるであろうし、図面においてある程度明らかである。
【００４９】
回転子２には、表面２ａから反対側まで、すなわち、回転子表面２ａから離れる方に概ね軸方向に延在するため、回転子の「後」面と呼ぶことができるものまで延在する（内側）ポート１０が設けられている。
【００５０】
以下にさらに記載されるように、これは流体が装置の環状または作動チャンバに出入りすることを都合よく可能にする。それは例えば圧縮流体であり得る。
【００５１】
ここで、固定子４の構造および構成に関して図２、３および４を参照する。図２に見られるように、固定子４は２つの部分４ａおよび４ｂを含む。
【００５２】
図２ａおよび３ａから分かるように、これら２つの部分は、回転子とシャッタディスクの両方を収容するように組み立て中に一緒にされる。固定子部分４ａは回転子とシャッタディスクの両方を収容する部分として見ることができる。部分４ａは、互いに実質的に直交して配置された２つの部分的に円筒形の部分から形成されている。
【００５３】
この実施形態では、２つの部分は一体であり、シャッタディスク３を受ける部分は４ａ’として示されている。この部分はまた、シャフト９のそれぞれの端部部分９ａ、およびそれぞれの回転軸受２０を受けるように配置された部分４ａ’’を含む。
【００５４】
部品４ｂは、軸受２０とシャフト端部部分９ｂを受けるように配置された実質的に円筒形の部分４ｂ’’を含む。
【００５５】
部分４ｂに従属して、この例ではスピゴットとして記載されることがある構造１５が設けられている。この特徴部は、装置からの作動流体用の出口ポートなどのポートを提供する。構造１５は通路１６を含み、これは開口部１６ａと１６ｂとの間の導管を形成する。部品４の面１７には開口部１６ｂが設けられており、回転子２の上記ポート１０は、開口部１６ｂと周期的に整列するように配置されている。
【００５６】
表面１７は、回転子２の後面（参照符号なし）に面し、かつそれと密接に協働するように配置される。
【００５７】
これは、回転子２が回転し、ポート１０が開口部１６ｂと整列すると、流体が環状チャンバ１００に出入りすることができる通路が開かれることを意味する。
【００５８】
装置１の組み立てまたは製造中に、部品４ａおよび４ｂは、締結具によってまたは他の何らかの方法によって互いに強固に取り付けることができる。
【００５９】
図３ａおよび３ｂは、交差ボアの配置を示しており、交差ボアはピストンの通過とシャッタの受け入れの両方に都合よく対応する固定子４ａ内にあり、組み合わされて流体を作動チャンバに流体連通するための別のポートを形成する。圧縮機の実施形態では、このポートは入口ポートとすることができる。
【００６０】
シャッタと回転子はトランスミッションによって同期した状態を維持する。図２および３の歯付きギア１３は、そのようなトランスミッションの一部を示している。
【００６１】
図４を参照すると、組み立てられた状態において、回転子２と固定子４とが環状チャンバ１００を画定することが分かる。軸受２０によって回転可能に取り付けられるシャフト９は、軸Ａ−Ａを中心に回転するように配置される。前に示唆したように、通路１６によって提供され、固定子４内に形成された装置の圧縮機の実施形態における出口ポートを典型的に提供するポートに加えて、同様の実施形態において作動流体用の入口を提供するポート（図３の交差ボア）も提供される。使用時には、回転子とシャッタの間のトランスミッションが必要な同期を保証する。装置１が圧縮機として使用される場合、適切な動力源または駆動源をシャフト９の端部部分９ａまたは９ｂあるいはシャッタ手段のシャフト７あるいはトランスミッションの別の部分に取り付けることができる。
【００６２】
図５は、装置１の回転子２の幾何学的特性を示すのに役立つ。回転子２は非対称であるとして記載され得る。この非対称性は、その中間点１４で回転子２を貫通してこれを二等分する平面Ｐ−Ｐに関している。その中間点は、表面２ａの軸方向範囲を定めかつ境界を決める、遠位端部分１２ａと１２ｂとの間の中間にあるものとして記載することができる。
【００６３】
平面Ｐ−Ｐも回転軸Ａ−Ａに直交している。凹状（断面において）表面２ａは平面Ｐ−Ｐに関して非対称であることが分かる。矢印で示すように、回転子表面自体は回転軸Ａ−Ａから外向きかつ外側に概ね向いている。配向角の尺度は、平面Ｐ−Ｐと回転子表面２ａとの間の交点で接線Ｔをとることによって決定することができる。それにより、接線Ｔ−Ｔと平面Ｐ−Ｐとの間の配向角ｘを決定することが可能である。
【００６４】
回転子表面２ａの傾斜した外向きの配向を説明するための代替方法として、図５ｂを参照する。回転子表面２ａの遠位端領域１２ａと１２ｂとの間に直線Ｖが生成され、回転子表面の傾斜角は、図に示されるように接続線Ｖを外挿し形成される傾斜角度ｚを決定することにより接続線Ｖと回転軸Ａ−Ａとの間の角度を考慮することによって決定することができる。
【００６５】
回転子表面２ａの配向を考慮するためのさらに別の方法が図５ｃに示されている。図５ｃにおいて、（図の断面が示されている）断面平面Ｇは発生平面であり、それはディスクの円周が表面２ａを定める平面である。次いで、基準線Ｌが、（発生平面上のディスク軸の交点と一致する）回転子軸に垂直な平面との交点に沿ってＧ上に描かれる。平面Ｑは、ディスク軸および基準線Ｌと一致する、Ｇに垂直な平面である。垂直に配置されたディスクの好ましい場合において、ＱはＰ（図５ｂ参照）に平行である。次いで、チャンバの範囲が、平面Ｇ上で、Ｌからシャッタ軸を中心とする２つの角度（アルファ１およびアルファ２）によって定められる。非対称作動チャンバは、アルファ１およびアルファ２が等しくないものとして定義され得る。アルファ１およびアルファ２はＬの周囲の反対方向のものであってもよい。一例として、２つの角度はそれぞれ１５度と６５度であってよい。しかしながら、より一般的には、角度はそれぞれアルファ１：０〜３０度およびアルファ２：５０〜９０度の範囲内であり得る。これらの範囲は、上述の角度ｚについての６０度から２５度の角度範囲に対応する。
【００６６】
上述した装置には多数の重要な利点がある。
【００６７】
固定子の他の１つまたは複数のポートと連通する回転子を通る１つまたは複数のポートを有することによって、環状チャンバへのまたはそこからの流体の流れを制御または効果的に弁調整することが可能になる。
【００６８】
装置１は、回転子とシャッタディスクのより容易な組み立てを可能にする。回転子はディスクを対称的に包囲していないので、組み立ての順序は、固定子をより低コストおよび／またはより正確な製造のために設計することができるように、より異なる方法で達成することができる。例えば、いくつかの既知のピストンおよびシリンダ装置では、シャッタディスクは回転子に対して半径方向に挿入されなければならない。装置１では、回転子を軸Ａ−Ａに沿ってシャッタディスク上に都合よく組み付けることもできる。
【００６９】
装置１は、より堅いピストン５を含むことを可能にする。チャンバ１００は、（従来技術における約４５°ではなく）約９０°のシャッタを受けるので、ピストンはより良好に支持され、したがって所与の厚さに対してより堅くなる。
【００７０】
シャッタディスクを環状チャンバの半径方向の制約内に収める必要がないので、（所望の作動チャンバ容積を達成しながら）シャッタおよび回転子を独立してサイズ決めすることができ、これは、ロータリピストンおよびシリンダ装置のいくつかの既知のタイプと比較した場合、相対部品寸法および軸受荷重に対して設計の柔軟性を与える。
【００７１】
所与のチャンバ寸法に対してより小さな回転子直径を達成することができる。回転子は、チャンバを超えて半径方向に延在する必要はない。これは、与えられたチャンバの断面および容積に対して、最大回転子直径がより小さいことを意味する。これにより、コスト、運転中の歪みが低減され、そして機械全体のサイズが小さくなる。
【００７２】
さらに、上述のような設計上の柔軟性のために、チャンバは、所与のチャンバ容積に対してより大きな断面、したがってより小さな外径を有するように設計することができる。上記の直前の点と組み合わせて、これは、回転子が、既知の回転子設計で可能であるよりも著しく小さい外径を有することができることを意味する。
【００７３】
既存の装置に関連して、低減された軸受荷重もまた達成され得る。チャンバは、より低い表面積対容積比を有する。
【００７４】
これは、（その圧力が外圧または大気圧と異なるために）作動流体によって及ぼされる力が一般的により低くなることを意味する。具体的には、回転子にかかる軸方向および半径方向の力を低減することができる。
回転子構造は今や（一般的に）チャンバの内部にあり、いったん組み立てられると他の凹部を必要としないので、それをはるかに堅くすることができる。これは、回転子上の薄壁部分の長さの減少として見ることができる。より堅い回転子は運転中のより少ない変形を意味し、それは運転中の作動チャンバの周りの隙間を減らすことができ、そして作業流体の漏れの量を減らすことができる。
【００７５】
低減される軸受荷重。作動流体によって及ぼされる力が減少することに加えて、回転子の設計は軸受をチャンバの両側に簡単に配置することを可能にし、一方、既知の回転子の設計はチャンバが軸受を張り出すことを必要とする。これにより、軸受の荷重が大幅に減り、耐用年数が延び、および／または軸受のサイズ／コストが削減される。
【００７６】
低減される漏出。上に概説したように、減少した表面積／容積のために、漏出経路は所与のチャンバ容積に対してより小さな範囲を有する。
【００７７】
主回転子とハウジング部品が鋳造されると仮定して、より単純でより小さな部品から最大鋳造寸法を減らし、そしてそれはより小さな機械の使用を可能にすることによって鋳造のコストを減らすことができる。機械加工切削速度はまた、機械加工面により近づいて回転子を支持することがより簡単であり得るので、より速くなり得る（または公差がより細かくなり得る）。
【００７８】
回転子は、シャフトに圧入されるか、または他の方法で上述のようにシャフトに組み付けられることができ、それは、２つの構成部品が単一の構成要素として作られる場合より製造が簡単であり得るので製造の複雑さを軽減する。このアセンブリはまた、回転子とシャフトがそれらの構成において異なる材料を使用することを可能にする。
【００７９】
変形実施形態のいくつかの例を示す残りの図を参照するが、これらはすべて依然として上記と同じ原理を具体化している。最初に図６を参照する。それは変形トランスミッション歯付きギア１０６がシャッタディスク３から離間され、それによって（改良された開口部１０３’およびピストン５’から分かるように）より大きなチャンバが可能になることを示している。
【００８０】
図７Ａおよび７Ｂは、より大きなシール領域を設けることによってシール性を強化するために使用することができる軸方向延長部１０２ａおよび１０２ｂを回転子が含む代替実施形態を示す。表面１０２ｂは表面２ａと幾何学的に連続していてもよい。１０２ｂは、作動チャンバの態様を画定しないので機能的に２ａの続きではない。
【００８１】
図８ａおよび８ｂは、シャフト９が実質的に回転子から一方向のみに延在する実施形態を示す。これは、それが回転子の同じ側でのみ間隔を置いて配置された軸受によって支持される必要があることを意味する。これは所与のチャンバに対する軸受荷重を増大させるが、よりコンパクトな軸受油システムなど他の方法において、または作動チャンバの周りの全体的に高められた温度から軸受を遠ざけることが有利であり得る。
【００８２】
図９、１０、１１、および１２は、回転子の後方領域１５０がアンダーカット、またはその領域内の空間によって画定され得る回転子の変形実施形態を示し、したがって、回転子表面体が必ずしも中実である必要はないことを実証する。領域１５０は、参照番号１５１で全体的に示される後壁または後面によって部分的に画定されてもよい。図９中、後面１５１は実質的に平坦であり、これは機械加工しやすく、高い剛性をもたらすが、ポート１１０の容積を増大し、これによりパフォーマンスが低下する可能性がある。図１０では、後面１５１は表面２ａと同様の曲率を有し、その結果、回転子はほぼ一定の厚さを有する。これはポート１０の容積を減らすことができるが、機械加工はより複雑である。図１１では、後面１５１は実質的に円錐台状であり、これは機械加工するのが安価である（またはより高い精度で繰り返し機械加工することを可能にする）一方で、ポート１０の容積も最小限に抑える。最後に、図１２では、表面１５１は円錐台形部分と平面部分の両方で構成されている。これは、ポート１０の容積を減少させ、製造コストを減少させ、また回転子２の剛性を増加させ、歪みにより抵抗する働きをする。
【図１ａ】
2019529769.tif 000003
【図１ｂ】
2019529769.tif 000004
【図２ａ】
2019529769.tif 000005
【図２ｂ】
2019529769.tif 000006
【図３ａ】
2019529769.tif 000007
【図３ｂ】
2019529769.tif 000008
【図４】
2019529769.tif 000009
【図５ａ】
2019529769.tif 000010
【図５ｂ】
2019529769.tif 000011
【図５ｃ】
2019529769.tif 000012
【図６】
2019529769.tif 000013
【図７ａ】
2019529769.tif 000014
【図７ｂ】
2019529769.tif 000015
【図８ａ】
2019529769.tif 000016
【図８ｂ】
2019529769.tif 000017
【図９】
2019529769.tif 000018
【図１０】
2019529769.tif 000019
【図１１】
2019529769.tif 000020
【図１２】
2019529769.tif 000021
【国際調査報告】
2019529769.tif 000022
2019529769.tif 000023
2019529769.tif 000024